(57)【特許請求の範囲】
【請求項１】
外箱と、前記外箱の内部に挿入して用いるシート状の内装材とから成るとともに、前記内装材は、被梱包物の側面を保護する側面部と、前記側面部に延設され被梱包物の底部を支持する底面部とを備え、前記内装材の底面部の略中央部以外である第１の部分を山状に折り曲げ、かつ前記底面部の略中央部である第２の部分を谷状に折り曲げると共に、前記内装材の側面部の両端を略直角に折り曲げて、山状に折り曲げた前記第１の部分における前記第２の部分側の端面に前記側面部の一方の端部を当接させ、もう一方の端部を前記底面部の端面に当接させた梱包装置。
【請求項２】
外箱と、前記外箱の内部に挿入して用いるシート状の内装材とから成るとともに、前記内装材は、被梱包物の側面を保護する側面部と、前記側面部に延設され被梱包物の底部を支持する底面部とを備えた梱包装置であって、
前記底面部と前記側面部との形成する角度が直角以下となるよう前記内装材を折り曲げ、
内装材の底面部の略中央部以外である第１の部分を山状に折り曲げ、かつ前記底面部の略中央部である第２の部分を谷状に折り曲げ、
内装材の側面部の両端を略直角に折り曲げて、山状に折り曲げた前記第１の部分における前記第２の部分側の端面に前記側面部の一方の端部を当接させ、もう一方の端部を前記底面部の端面に当接させ、内装材の側面部の一部を切り起こして前記切り起こしの端面を前記外箱の内面に当接させ、
谷状に折り曲げた前記第２の部分で、被梱包物を支持するとともに、前記外箱と前記内装材とで形成する空間部に被梱包物の付属品を収納するよう構成した梱包装置。
【発明の詳細な説明】
【０００１】
【発明の属する技術分野】
本発明は、電気掃除機などを収容するための段ボール製の梱包装置に関するものである。
【０００２】
【従来の技術】
従来のこの種の段ボール製の梱包装置は図６〜図１０に示すように構成されている。図６に示すように、電気掃除機本体４を梱包する梱包装置は、段ボール製の外箱１と、その外箱１の内部に挿入して用いる段ボール製の底部部材２と周壁部材３とからなる。５は電気掃除機の各種付属品である。
【０００３】
底部部材２は、図７に示すように切り出された展開姿勢から図８（ａ）（ｂ）に示すように四角筒部分が形成されるように組立てて構成されている。
また周壁部材３は、図９に示す展開姿勢から図１０（ａ）（ｂ）に示すように少なくとも２つの周壁を有する構造に組立て可能に構成されている。この周壁部材３は、外箱１内に挿入された状態において、電気掃除機本体４を包み込むと共に、それらの周壁と外箱１との間にもスペースが形成され、各種付属品５を収容できるように構成されている。
【０００４】
【発明が解決しようとする課題】
上記構成では、底部部材２および周壁部材３を展開姿勢から折り曲げ組立てる工数が非常に多く、また部品点数も２つとなるため、コストダウンの大きな妨げとなっている。
【０００５】
本発明は上記課題を解決するもので、オール段ボール製の部材からなる梱包装置であり、梱包に要する部材の部品点数および工数を最小限にした梱包装置を提供することを目的としている。
【０００６】
【課題を解決するための手段】
上記目的を達成するため本発明は、外箱と、前記外箱の内部に挿入して用いるシート状の内装材とから成るとともに、前記内装材は被梱包物の側面を保護する側面部と前記側面部に延設され被梱包物の底部を支持する底面部を備え、前記内装材の底面部の略中央部以外である第１の部分を山状に折り曲げ、かつ前記底面部の略中央部である第２の部分を谷状に折り曲げると共に、前記内装材の側面部の両端を略直角に折り曲げて、山状に折り曲げた前記第１の部分における前記第２の部分側の端面に前記側面部の一方の端部を当接させ、もう一方の端部を前記底面部の端面に当接させたものである。これによって、部品点数を１つとし、組立て工数も大幅に削減できるため、大幅なコストダウンを実現できる。
【０００７】
【発明の実施の形態】
本発明の請求項１記載の梱包装置は、外箱と、前記外箱の内部に挿入して用いるシート状の内装材とから成るとともに、前記内装材は、被梱包物の側面を保護する側面部と、前記側面部に延設され被梱包物の底部を支持する底面部とを備え、前記内装材の底面部の略中央部以外である第１の部分を山状に折り曲げ、かつ前記底面部の略中央部である第２の部分を谷状に折り曲げると共に、前記内装材の側面部の両端を略直角に折り曲げて、山状に折り曲げた前記第１の部分における前記第２の部分側の端面に前記側面部の一方の端部を当接させ、もう一方の端部を前記底面部の端面に当接させたものである。これによって、部品点数を１つとし、組立て工数も大幅に削減できるため、大幅なコストダウンにつながる。また、底面部の緩衝性を向上し、かつその略中央部を谷状に折り曲げることにより、被梱包物を収容するスペースおよび位置決めを構成できる。また、被梱包物の前後方向への揺れや移動を規制できる。また、折り曲げた側面部の両端は上面からの荷重を支持する効果もあるため、梱包の耐圧荷重を向上できる。
【００１４】
本発明の請求項２記載の梱包装置は、外箱と、前記外箱の内部に挿入して用いるシート状の内装材とから成るとともに、前記内装材は、被梱包物の側面を保護する側面部と、前記側面部に延設され被梱包物の底部を支持する底面部とを備えた梱包装置であって、前記底面部と前記側面部との形成する角度が直角以下となるよう前記内装材を折り曲げ、内装材の底面部の略中央部以外である第１の部分を山状に折り曲げ、かつ前記底面部の略中央部である第２の部分を谷状に折り曲げ、内装材の側面部の両端を略直角に折り曲げて、山状に折り曲げた前記第１の部分における前記第２の部分側の端面に前記側面部の一方の端部を当接させ、もう一方の端部を前記底面部の端面に当接させ、内装材の側面部の一部を切り起こして前記切り起こしの端面を前記外箱の内面に当接させ、谷状に折り曲げた前記第２の部分で、被梱包物を支持するとともに、前記外箱と前記内装材とで形成する空間部に被梱包物の付属品を収納するよう構成したことを特徴とする。
【００１５】
以下、本発明の具体的な実施の形態を説明する。
本発明の段ボール製の梱包装置は図１〜図５に示すように構成されている。
図１に示すように、電気掃除機本体２０を梱包する梱包装置は、段ボール製の外箱１１と、その外箱１１の内部に段ボール製の内装材１２を挿入している。２１は電気掃除機の各種付属品である。
【００１６】
内装材１２は、図２に示す展開状態から図２と図３および図４に示すように折曲げ、一方を底面部１３とし、もう一方を側面部１４として前記底面部１３と前記側面部１４は直角以下、具体的には図５に示すように約７０°の角度を形成している。
【００１７】
また、底面部１３は山状に折曲げられているとともに、前記底面部１３は略中央部を中心に逆に谷状に折曲げられ、前記谷状に折曲げられた傾斜面１５にて電気掃除機本体２０を支持している。傾斜面１５の一部には電気掃除機本体２０の前輪２０ａを収容する孔１５ａが穿設されている。
【００１８】
また、側面部１４は両端部１６ａ，１６ｂを前記底面部１３の方向へ略直角に折曲げ、一方の端部１６ａは、下部の側面を底面部１３の切欠部１７に当接して位置決めし、もう一方の端部１６ｂは、下部を外箱１１の内底面部に、側面を底面部１３の端面１８に当接して位置決めしている。
【００１９】
また、側面部１４の下側には切起し部１９を設け、この切起し部１９の先端を外箱１１の内側面部に当接して位置決めしている。
さらに内装材１２は、図１に示すように外箱１１に挿入された状態において、電気掃除機本体２０を包み込むと共に、内装材１２の周壁と外箱１１との間にも空間部２２が形成されるため、この空間部２２にホース２１ａ、延長管２１ｂ、吸込具２１ｃなどの各種の付属品２１が収容できる。
【００２０】
このように構成したため、段ボール製の外箱１１の内部に挿入して用いる段ボール製の内装材１２は、１枚の平板を略直角に折曲げて底面部１３および側面部１４を構成しているため、従来の底面部材および側面部材による構成から部品点数が１つになり、組立て工数も大幅に削減できるため、大幅なコストダウンにつながる。
【００２１】
また、内装材１２の底面部１３を山状に折り曲げることにより、底面部１３の緩衝性を向上し、かつその略中央部を中心に谷状に折り曲げることにより、電気掃除機本体２０を収容するスペースおよび位置決めを構成できる。
【００２２】
さらに、谷状に折り曲げられた傾斜面１５にて電気掃除機本体２０を支持しているため、電気掃除機本体２０の収容をより確実にできるとともに、梱包状態での落下などに対しても、より大きな面積で衝撃を分散して支持することができる。
【００２３】
また、内装材１２の側面部１４の両端部１６ａ，１６ｂを底面部１３の方向へ略直角に折り曲げ、底面部１３や切欠き部１７に当接させて位置決めしているため、電気掃除機本体２０の前後方向への揺れや移動を規制できる。
【００２４】
また、折曲げた両端部１６ａ，１６ｂは上面からの荷重を支持する効果もあるため、梱包の耐圧荷重を向上できる。
さらに、側面部１４の下側の切起し部１９を外箱１１の内側面部に当接して位置決めしているため、内装材１２を外箱１１に挿入する際の底面部１３の左右方向へのずれを防止できるため、組立性が向上する。
【００２５】
【発明の効果】
以上のように本発明の請求項１記載の構成によれば、部品点数を１つとし、組立て工数も大幅に削減できるため、大幅なコストダウンにつながる。また、底面部の緩衝性を向上し、被梱包物を収容するスペースおよび位置決めを構成できる。また、被梱包物の前後方向への揺れや移動を規制できる。また、折り曲げた側面部の両端は上面からの荷重を受ける効果もあるため、梱包の耐圧荷重を向上できる。
【００３２】
本発明の請求項２記載の発明によれば、組立性が向上するとともに大幅なコストダウンを実現できるだけでなく、被梱包物とその付属品を安全確実に輸送することができる。
【図面の簡単な説明】
【図１】本発明の梱包装置の実施の形態の断面図と電気掃除機を収納するときの説明図
【図２】同実施の形態の内装材の展開図
【図３】同内装材の組立斜視図
【図４】同内装材の組立上面図
【図５】同電気掃除機本体を収容して梱包したときの正面図
【図６】従来の梱包装置の断面図と電気掃除機を収納するときの説明図
【図７】同底部部材の展開図
【図８】同底部部材の組立平面図および正面図
【図９】従来の周壁部材の展開図
【図１０】同周壁部材の組立平面図および正面図
【符号の説明】
１１    外箱
１２    内装材
１３    底面部
１４    側面部
１５    傾斜面
１６ａ，１６ｂ    側面部１４の両端部
１９    切起し部
２０    電気掃除機本体
２１    付属品
２２    空間部
【図１】
0004502460.tif 000002
【図２】
0004502460.tif 000003
【図３】
0004502460.tif 000004
【図４】
0004502460.tif 000005
【図５】
0004502460.tif 000006
【図６】
0004502460.tif 000007
【図７】
0004502460.tif 000008
【図８】
0004502460.tif 000009
【図９】
0004502460.tif 000010
【図１０】
0004502460.tif 000011